(57)【特許請求の範囲】
【請求項１】
ブランクをブランク押さえによってダイ上面との間で押さえながら、ポンチをダイの成形孔に嵌合して絞り成形する絞り成形金型を加熱する装置であって、前記ブランクより面方向に沿う外寸が大きいプレートヒーターと、前記プレートヒーターを上下から挟持するとともに、前記プレートヒーターより面方向に沿う外寸が大きい上側ブロック及び下側ブロックと、前記上側ブロック又は前記下側ブロックの少なくともいずれか一方のブロックに形成した孔又は溝内に装着される温度センサーとを有し、前記上側ブロック又は前記下側ブロックのいずれかに脱着可能な取手を有することを特徴とする金型加熱装置。
【請求項２】
前記上側ブロック又は前記下側ブロックのいずれかにポンチを挿入可能な穴を有することを特徴とする請求項１記載の金型加熱装置。
【請求項３】
請求項１又は２記載の金型加熱装置を用いた絞り成形方法であって、前記金型加熱装置をダイ上面とブランク押さえ間に挟み込んでポンチを下降することにより、ダイ上面とブランク押さえ下面及びポンチ下面を加熱した後、前記金型加熱装置を取り外し、加熱されたダイ上面とブランク押さえでブランクを挟持し加熱した後、絞り成形することを特徴とする絞り成形方法。
【発明の詳細な説明】
【技術分野】
【０００１】
本発明は、温間成形に使用する絞り成形金型の加熱装置および絞り成形方法に関する。
【背景技術】
【０００２】
温間成形に使用する絞り成形金型では、成形に先立って金型を加熱する必要がある。
従来、このような成形金型を加熱する方法や装置として、例えば、特許文献１に示される鍛造用金型を加熱するものがある。この加熱装置は、金型全体を囲むことができる大きさの筒体に誘電コイルが設けられており、金型をプレス機に設置する前に金型を囲って外側から金型を加熱するものである。更に、鍛造等のプレス成形金型以外の分野では、例えば、特許文献２に記載の高周波装置と金属ウールマットを使用して金型を加熱する装置や、特許文献３に記載の流体シリンダーを用いてブロー成形金型内に熱源を出し入れする装置が開示されている。
【先行技術文献】
【特許文献】
【０００３】
【特許文献１】特開２００２−３６１３５３号公報
【特許文献２】特開２００２−１００４６３号公報
【特許文献３】特開平９−２５４２４４号公報
【発明の概要】
【発明が解決しようとする課題】
【０００４】
しかしながら、特許文献１乃至３記載の装置は大型であり高価なものである。またその取り扱いも大変である。更に、特許文献１記載の金型全体を外部より加熱する方法では、金型内部を加熱するまでに時間が掛かるという問題もあった。
【０００５】
この場合、金型内に棒状ヒーターを設けた簡便な構造とすることも考えられるが、金型全体を均一の温度に設定する事が困難で、温度にバラツキが生じ、その制御が難しいという問題がある。又、棒状ヒーターを設置するために、金型に孔等を設ける必要があり強度上も問題である。
【０００６】
本発明は、このような事情に鑑みてなされたもので、小型で簡単な構造でありながら、金型内部を効率良く加熱し、温度のバラツキが少なく制御も容易な温間成形に使用する絞り成形金型の加熱装置および絞り成形方法を提供することを目的とする。
【課題を解決するための手段】
【０００７】
本発明の金型加熱装置は、ブランクをブランク押さえによってダイ上面との間で押さえながら、ポンチをダイの成形孔に嵌合して絞り成形する絞り成形金型を加熱する装置であって、ブランクより面方向に沿う外寸が大きいプレートヒーターと、プレートヒーターを上下から挟持するとともに、プレートヒーターより面方向に沿う外寸が大きい上側ブロック及び下側ブロックと、上側ブロック又は下側ブロックの少なくともいずれか一方のブロックに形成した孔又は溝内に装着される温度センサーとを有し、前記上側ブロック又は前記下側ブロックのいずれかに脱着可能な取手を有することを特徴とする。
【０００８】
一方、本発明の絞り成形方法は、本発明の金型加熱装置をダイ上面とブランク押さえ間に挟み込んでポンチを下降することにより、ダイ上面とブランク押さえ下面及びポンチ下面を加熱した後、金型加熱装置を取り外し、加熱されたダイ上面とブランク押さえでブランクを挟持し加熱した後、絞り成形する方法とした。
【０００９】
上記のようなプレートヒーターを上側ブロック及び下側ブロックで挟んで固定するという、単純な構造とすることで、装置を小型化することができる。又、ブランクが接触するダイ上面とブランク押さえ及びポンチの下面とを直接加熱することができ、効率的である。この場合、ブランクより大きい外寸の板状のプレートヒーターを採用したことによって、ブランクが接触するダイ上面及びブランク押さえ下面の表面温度を均一で最適な温度に管理することができる。
また、取手が取付けられることで、加熱装置を絞り成形装置に取付け又は取外す作業が安全且つ容易となり、作業時間が短縮できる。
【００１０】
本発明の絞り成形金型の加熱装置において、上側ブロック又は下側ブロックのいずれかに、ポンチを挿入可能な穴が形成されていることが望ましい。加熱装置をダイとブランク押さえとの間で挟持する際に、ポンチが穴に挿入することにより、ポンチとの干渉を回避できるので、加熱装置を十分強固に挟持することができる。これにより、ブランクが接触するダイ上面とブランク押さえ及びポンチの下面とを速やかに確実に加熱することができる。
【発明の効果】
【００１２】
本発明の温間成形に使用する絞り成形金型の加熱装置および絞り成形方法によれば、効率良く金型内部を加熱し、より精度の高い温度管理が可能となり、制御も容易な温間絞り成形ができる。
【図面の簡単な説明】
【００１３】
【図１】本発明の一実施形態における絞り成形金型の加熱装置の概略図である。
【図２】プレートヒーターの概略図である。
【図３】下側ブロックの概略図である。
【図４】取手を本発明の加熱装置へ嵌合させた状態の概略図である。
【図５】上側ブロックの概略図である。
【図６】本発明の加熱装置が適用される絞り成形装置の一例を示す概略断面図である。
【発明を実施するための形態】
【００１４】
以下、本発明の実施形態について、図面を参照して説明する。
図６は、本発明の加熱装置が適用される絞り成形装置の一例を示す概略断面図である。絞り成形装置は、図６に示すように、ポンチ９及びブランク押さえ１０を有する上型２０と、ダイ１２及び受け部材１３を有する下型２１とを備える。この絞り成形装置ではダイ１２の成形孔１９の回りで円形のブランク１１をブランク押さえ１０によってダイ１２上面との間で押さえながら、ポンチ９をダイ１２の成形孔１９に嵌合して絞り成形する。ブランク押さえ１０には、これを上下移動自在に支持するガイドロッド１７と、下方に向けて付勢するばね等の弾性部材１８とが設けられる。
【００１５】
図１は本発明の一実施形態における絞り成形金型の加熱装置の概略図である。図２はプレートヒーターの概略図である。この絞り成形金型の加熱装置は、鋼板よりなる上側ブロック１及び下側ブロック３と円形のプレートヒーター２とを有し、上側ブロック１と下側ブロック３の間にプレートヒーター２が挟持され、上側ブロック１と下側ブロック３をボルトで固定することによって一体化されている。
【００１６】
円形のプレートヒーター２は、ブランク１１より面方向に沿う外寸が大きく形成されており、面方向の中心部に穴２３が形成されているとともに、外周部の一部に電源用コード２２が接続されている。
例えば、絞り加工用円形ブランクの直径がφ５０ｍｍからφ１５０ｍｍ以下である場合、円形プレートヒーター２の直径はφ１５０ｍｍ以上であればよい。
【００１７】
上側ブロック１及び下側ブロック３は、円形のプレートヒーター２より面方向に沿う外寸が大きいものとし、外形は八角形に構成されている。下側ブロック３上面には、円形のプレートヒーター２が収まるスペースのくぼみ６と、プレートヒーター用電源コード２２が外部へ引出せる溝２４が設けられている。上側ブロック１下面には、下側ブロック３のくぼみ６に嵌合する凸部２６が設けられている。くぼみ６は、深さが円形のプレートヒーターの厚さと凸部２６の高さを加えたものと略同じで、外径は円形のプレートヒーター２と凸部２６が略緊密に嵌まり込む外径とされる。
したがって、上側ブロック１と下側ブロック３で円形のプレートヒーター２を挟持すると、この上下面は上側ブロック１及び下側ブロック３に接した状態となる。
【００１８】
上側ブロック１の左右には、脱着式の取手４を取付けるための嵌合ブロック１６が設けられている。この嵌合ブロック１６は、側面視逆L字型の角柱形状に形成され、上側ブロック１の左右に上側ブロック１との間に下方に向けた凹部２７を形成するように固定されている。取手４はハンドル１４の先端に、嵌合ブロック１６と上側ブロック１との間の凹部２７に嵌合可能な嵌合用板１５をねじ止めした構造である。
図４の矢印にて示す通り、取手４を使用する時は、嵌合用板１５を嵌合ブロック１６下面先端部と上側ブロック１側面部との間の凹部２７に下側より嵌合させて使用する。
【００１９】
下側ブロック３には、温度センサー２５が埋め込まれている。この温度センサー２５は、例えば先端が棒状のもので熱電対タイプのものでよい。この温度センサー２５を埋め込むための温度センサー取付け孔５は、温度センサー２５と略同サイズとし、温度センサー２５の先端棒状部分が、下側ブロック３と隙間無く装着できる寸法とされ、ブロック側面より中心部方向へ向け形成されている。
【００２０】
上側ブロック１及び下側ブロック３の面方向の中心部に、ポンチ９を挿入可能な穴７が設けられている。図示例ではポンチ９が角柱状に形成されているため、ポンチ９を挿入可能な穴７は角穴状に形成されている。また、ポンチ９を挿入可能な穴７は、上側ブロック１及び下側ブロック３を貫通して設けられているが必ずしも貫通することまでは要求されず、加熱装置８を挟み込むために必要な型締め力を作用した時のポンチ９の干渉を避けられる程度の深さの穴が形成されていればよい。なお、プレートヒーター２の面方向の中心部に設けられている穴２３は、図２に示すように円形であるが、後述するように上型２０と下型２１との間に加熱装置８を挟持したときに、ポンチ９がプレートヒーター２に到達するまで下降することはないので、ポンチ９が穴７に挿入するときの空気抜きのために設けられている。
【００２１】
上側ブロック１及び下側ブロック３の厚みは、円形のプレートヒーター２の熱容量に合わせて調整することで、使用する円形ブランクサイズがφ５０ｍｍを使用する場合と、円形ブランクサイズφ１５０ｍｍを使用する場合の金型の温度や昇温時間を、上側ブロック１及び下側ブロック３の厚さを変更することで揃えることができる。
例えば、円形のプレートヒーター２の厚さが４ｍｍ以下であって、上側ブロック１及び下側ブロック３の厚さが円形のプレートヒーター２の５倍未満で、外径が円形のプレートヒーター２の１．２倍以下としても良い。
【００２２】
次に、以上の絞り成形金型の加熱装置８を用いて絞り成形する方法について説明する。
この絞り成形方法は、加熱装置８をダイ１２の上面にのせ、その上からブランク押さえ１０下面によって強固に挟持することで加熱装置８をダイ１２の上面とブランク押さえ１０下面に接触させ、ダイ１２上面及びブランク押さえ１０下面の表面温度を均一で最適な温度に管理する加熱工程と、加熱装置８を取り外し、ブランク１１をダイ１２上面とブランク押さえ１０で挟持しブランク１１を加熱した後、絞り成形する絞り工程とを有する。本発明の絞り成形金型の加熱装置８は、脱着式の取手４を有することで、絞り成形装置への脱着作業が安全且つ容易となり、作業時間が短縮できる。
【００２３】
使用する円形のプレートヒーター２を、ブランク１１より面方向に沿う外寸が大きいものとしたことで、ブランク１１が接触するダイ１２上面及びブランク押さえ１０下面の表面温度を均一に加熱することができる。下側ブロック３上面のくぼみ６内にプレートヒーター２が収められていることにより、加熱装置８をダイ１２とブランク押さえ１０との間で強固に挟持する際にプレートヒーター２に過大な加重が掛かるのを防止でき、プレートヒーター２を保護することができる。
【００２４】
上側ブロック１及び下側ブロック３にポンチ９を挿入可能な穴７が設けられていることで、ダイ１２の上面とブランク押さえ１０下面との間で加熱装置８を強固に挟持することができる。ポンチ９を挿入する穴７がないとポンチ９が加熱装置８に当たって破損するおそれがあるが、本発明の金型加熱装置８においては、面方向の中心部にポンチ９を挿入可能な穴７が形成されているので金型加熱装置８を強固に挟持することができる。
これにより、加熱装置８の上下面にダイ１２の上面とブランク押さえ１０下面を確実に接触させることができ、ブランク１１が接触するダイ１２上面とブランク押さえ１０の下面とを速やかに加熱することができる。又、ポンチ９の先端部も加熱装置８内に入り込むので、ポンチ９の下面も効率的に加熱することができる。
ポンチ９を挿入可能な穴７が下側ブロック３にも設けられていることから、図１に示された実施例である下向き絞り成形装置と逆の、上向き絞り用成形装置にも使用可能である。
【００２５】
温度センサー２５を金型に装着する場合と異なり、加熱装置８に装着したので、温度センサー取付け用孔５を加熱装置８の最内部へ設定できる。
温度センサー２５の先端棒状部分取付け位置を加熱装置８の最内部とし、温度センサー２５の先端棒状部分と下側ブロック３とを隙間無く装着することで、ブランク１１が接触する部分で、特にダイ１２上面のブランク１１が流動する付近の表面温度がより精度高く測定できる。
このような絞り方法であれば、効率良く金型内部を加熱しより精度の高い温度管理が可能となり、制御も容易な温間絞り成形ができる。
【００２６】
なお、本発明は前記実施形態の構成のものに限定されるものではなく、細部構成においては、本発明の趣旨を逸脱しない範囲において種々の変更を加えることが可能である。
実施形態では、上側ブロック１の左右に脱着式の取手用嵌合ブロック１６を設けたが、下側ブロック３の左右に設けてもよい。
実施形態では、ポンチ９を挿入可能な穴７は上面視略正方形の形状で図示されているが、ポンチ９が回避できる形状及び大きさであればよく、上面視円形やその他多角形でもよい。
実施形態では、上側ブロック１及び下側ブロック３の外形は八角形で図示されているが、それ以外の多角形もしくは円形でもよい。
実施形態では、円形のプレートヒーター２が略収まるスペースのくぼみ６を下側ブロック３上面に設けたが、上側ブロック１下面に設けてもよい。
【符号の説明】
【００２７】
１…上側ブロック
２…プレートヒーター
３…下側ブロック
４…取手
５…温度センサー取付け用孔
６…くぼみ
７…穴
８…加熱装置
９…ポンチ
１０…ブランク押さえ
１１…ブランク
１２…ダイ
１３…受け部材
１９…成形孔
２０…上型
２１…下型
２５…温度センサー
２６…凸部
２７…凹部
【図１】
0006381071.tif 000002
【図２】
0006381071.tif 000003
【図３】
0006381071.tif 000004
【図４】
0006381071.tif 000005
【図５】
0006381071.tif 000006
【図６】
0006381071.tif 000007